(57)【要約】      （修正有）【課題】  固定性を増してサーバースライドレールの組み付時の簡易性と便利性を高めることができるスライドレール固定片の提供。【解決手段】  スライドレール固定片３はサーバースライドレール２をサーバーシャーシに取り付ける前に、磁力により磁性固定片４をシャーシの縦向き支柱１１に貼り付け、このとき、サーバースライドレール２上のＵ形挟持片２１の横向き位置決め柱２１２を磁性固定片の位置決め孔４２に対応させて挿入して位置決めし、且つＵ形挟持片の固定手段２１１を磁性固定片の開孔４１及びこの開孔に対応する縦向き支柱の横向き貫通孔１１１、１１２、１１３に対応させれば、磁力の吸着作用により磁性固定片４が脱落せず、こうしてスライドレール固定片３の固定性を高めることができ、サーバースライドレール２の組付け時の簡易性と便利性を高め、並びにこれにより組付け時に必要な時間を節約できる。【選択図】        図３
2006013409.tif 000002
【特許請求の範囲】
【請求項１】
サーバーシャーシにサーバースライドレールを組み付けるのに使用されるスライドレール固定片であり、該サーバーシャーシは複数の縦向き柱を具え、且つ各縦向き柱に複数の横向き貫通孔が縦向きに開設され、少なくとも一つのサーバースライドレールの少なくとも一端にＵ形挟持片が設けられ、このＵ形挟持片の一側に外向き横向きに固定手段が組付けられ、反対側に横向き外向きに突出する横向き位置決め柱が設けられ、該スライドレール固定片は、
磁性固定片を具え、該磁性固定片に横向きに開孔と位置決め孔が開設され、且つ開孔の周囲が外向きに折り曲げられて突起が形成され、
該磁性固定片が磁力により縦向き柱に接合され、且つ該磁性固定片の開孔と位置決め孔が前述の縦向き柱のそのうちの二つの横向き貫通孔に対応し、該開孔の突起が該開孔に対応する該横向き貫通孔に嵌入し、該Ｕ形挟持片の固定手段が該開孔と該開孔が対応する横向き貫通孔に対応し、該横向き位置決め柱が磁性固定片の該位置決め孔に対応し挿入されて位置決めされることを特徴とする、スライドレール固定片。
【請求項２】
請求項１記載のスライドレール固定片において、磁性固定片に磁石が組付けられ、該磁性固定片が該磁石の磁力によりサーバーシャーシの縦向き柱に接合されることを特徴とする、スライドレール固定片。
【請求項３】
請求項２記載のスライドレール固定片において、磁性固定片の開孔は横向きに磁性固定片のそのうちの一端に開設され、且つ該磁性固定片の別端にもう一つの開孔が横向きに開設され、該もう一つの開孔の周囲が外向きに折り曲げられ延伸されてもう一つの突起が形成され、該もう一つの突起がＬ字形を呈して低面と該低面より高い高面が形成され、該低面が該磁性固定片と所定高度隔てられ、該磁石が該磁性固定片の該開孔に近い一側に組付けられ、且つ該磁石が該所定高度にほぼ等しい固定肉厚を具えたことを特徴とする、スライドレール固定片。
【請求項４】
請求項３記載のスライドレール固定片において、磁性固定片が磁力により縦向き柱に接合される時、磁性固定片のもう一つの開孔が縦向き柱のそのうち一つの横向き貫通孔に対応し、該もう一つの開孔のもう一つの突起が該もう一つの開孔に対応する該横向き貫通孔内に嵌入し、Ｕ形挟持片に横向き外向きにもう一つの固定手段が組付けられ、該もう一つの固定手段がもう一つの開孔と該もう一つの開孔に対応する該横向き貫通孔に対応することを特徴とする、スライドレール固定片。
【請求項５】
請求項４記載のスライドレール固定片において、Ｕ形挟持片の固定手段ともう一つの固定手段が雌ネジを具えたネジ柱とされたことを特徴とする、スライドレール固定片。
【請求項６】
請求項３記載のスライドレール固定片において、縦向き柱の横向き貫通孔が矩形状を呈し、且つ該磁性固定片の開孔ともう一つの開孔もまた矩形状を呈することを特徴とする、スライドレール固定片。
【発明の詳細な説明】
【技術分野】
【０００１】
本発明は一種のスライドレール固定片に係り、特にサーバーシャーシに適用されてサーバーのサーバースライドレールの組付けに用いられるスライドレール固定片に関する。
【背景技術】
【０００２】
一般にサーバーシャーシには、複数の異なる形式のサーバーが積み重ねられて設置され、且つ一般に１Ｕ、２Ｕ・・・がその単位とされ、サーバーをサーバーシャーシ内に組み付ける時は、サーバースライドレールをシャーシの縦向き柱に組み付けてから、サーバーをサーバースライドレールに螺子止めする。
【０００３】
このほか、一般標準規格において、サーバーシャーシの縦向き柱には複数の矩形の横向き貫通孔が開設され、サーバースライドレールの端部に開設された組付け孔は円形孔とされ、これにより固定片を矩形孔と円形孔の変換インタフェースとする必要がある。
【０００４】
図１は周知の固定片の組付け表示図である。図１には固定片９１、縦向き柱９２、サーバースライドレール９３が示され、且つ固定片９３は縦向き柱９２の矩形状の横向き貫通孔９２１とサーバースライドレール９３の円形孔９３１の変換インタフェースとされる。注意すべきことは、伝統的な組付け方式では直接固定片９１が縦向き柱９２に付当てられ、その後、サーバースライドレール９３の組付けが行なわれるが、このとき、固定片９１は単純に接合の力を利用するため、組立過程中に、固定片９１が脱落しやすく組立が極めて困難となるため、使用者は注意深くサーバースライドレール９３を固定片９１に当接させて組立を完成しなければならず、非常に不便で理想的でないことである。
【発明の開示】
【発明が解決しようとする課題】
【０００５】
本発明の主要な目的は、スライドレール固定片の固定性を増してサーバースライドレールの組付け時の簡易性と便利性を高め、並びに組付け時に必要な時間を節約できるようにすることである。
【０００６】
本発明のもう一つの目的は、一種のスライドレール固定片を提供することにあり、それは、Ｕ形挟持片の構造及びその挟持力により螺子止め時の固定力を増せるようにしたものとする。
【課題を解決するための手段】
【０００７】
請求項１の発明は、サーバーシャーシにサーバースライドレールを組み付けるのに使用されるスライドレール固定片であり、該サーバーシャーシは複数の縦向き柱を具え、且つ各縦向き柱に複数の横向き貫通孔が縦向きに開設され、少なくとも一つのサーバースライドレールの少なくとも一端にＵ形挟持片が設けられ、このＵ形挟持片の一側に外向き横向きに固定手段が組付けられ、反対側に横向き外向きに突出する横向き位置決め柱が設けられ、該スライドレール固定片は、
磁性固定片を具え、該磁性固定片に横向きに開孔と位置決め孔が開設され、且つ開孔の周囲が外向きに折り曲げられて突起が形成され、
該磁性固定片が磁力により縦向き柱に接合され、且つ該磁性固定片の開孔と位置決め孔が前述の縦向き柱のそのうちの二つの横向き貫通孔に対応し、該開孔の突起が該開孔に対応する該横向き貫通孔に嵌入し、該Ｕ形挟持片の固定手段が該開孔と該開孔が対応する横向き貫通孔に対応し、該横向き位置決め柱が磁性固定片の該位置決め孔に対応し挿入されて位置決めされることを特徴とする、スライドレール固定片としている。
請求項２の発明は、請求項１記載のスライドレール固定片において、磁性固定片に磁石が組付けられ、該磁性固定片が該磁石の磁力によりサーバーシャーシの縦向き柱に接合されることを特徴とする、スライドレール固定片としている。
請求項３の発明は、請求項２記載のスライドレール固定片において、磁性固定片の開孔は横向きに磁性固定片のそのうちの一端に開設され、且つ該磁性固定片の別端にもう一つの開孔が横向きに開設され、該もう一つの開孔の周囲が外向きに折り曲げられ延伸されてもう一つの突起が形成され、該もう一つの突起がＬ字形を呈して低面と該低面より高い高面が形成され、該低面が該磁性固定片と所定高度隔てられ、該磁石が該磁性固定片の該開孔に近い一側に組付けられ、且つ該磁石が該所定高度にほぼ等しい固定肉厚を具えたことを特徴とする、スライドレール固定片としている。
請求項４の発明は、請求項３記載のスライドレール固定片において、磁性固定片が磁力により縦向き柱に接合される時、磁性固定片のもう一つの開孔が縦向き柱のそのうち一つの横向き貫通孔に対応し、該もう一つの開孔のもう一つの突起が該もう一つの開孔に対応する該横向き貫通孔内に嵌入し、Ｕ形挟持片に横向き外向きにもう一つの固定手段が組付けられ、該もう一つの固定手段がもう一つの開孔と該もう一つの開孔に対応する該横向き貫通孔に対応することを特徴とする、スライドレール固定片としている。
請求項５の発明は、請求項４記載のスライドレール固定片において、Ｕ形挟持片の固定手段ともう一つの固定手段が雌ネジを具えたネジ柱とされたことを特徴とする、スライドレール固定片としている。
請求項６の発明は、請求項３記載のスライドレール固定片において、縦向き柱の横向き貫通孔が矩形状を呈し、且つ該磁性固定片の開孔ともう一つの開孔もまた矩形状を呈することを特徴とする、スライドレール固定片としている。
【発明の効果】
【０００８】
本発明によると、サーバースライドレールがサーバーシャーシに取り付けられる前に、先に磁力により磁性固定片がシャーシの縦向き柱に接合され、これにより磁性固定片が脱落の状況を発生せず、即ちこの状況下で、スライドレール固定片の固定性が有効に高められ、これによりサーバースライドレールの組付け時の簡易性と便利性が高められ、並びにこれにより組付け時の時間が節約される。
【０００９】
このほか、上述のＵ形挟持片の固定手段は雌ネジを具えたネジ柱とされ、並びに別にネジが縦向き柱の横向き貫通孔、及び磁性固定片の開孔を通りＵ形挟持片のネジ手段のネジ柱にねじ込まれ、この時、Ｕ形挟持片のＵ形構造特徴及びその挟持力によりネジ止め時の固定力が増される。
【発明を実施するための最良の形態】
【００１０】
本発明は、一種のスライドレール固定片を提供し、それは、サーバーシャーシとサーバースライドレールに組み合わされて使用され、且つシャーシが複数の縦向き柱を具え、且つ各縦向き柱に縦向きに複数の横向き貫通孔が開設され、少なくとも一つのサーバースライドレールの少なくとも一端にＵ形挟持片が設けられ、このＵ形挟持片の一側に外向き横向きに固定手段が組付けられ、反対側に横向き位置決め柱が横向き外向きに突出している。
【００１１】
このほか、上述のスライドレール固定片は磁性固定片を具え、該磁性固定片に横向きに開孔と位置決め孔が開設され、且つ開孔の周囲が外向きに折り曲げられて突起が形成されている。
【００１２】
サーバースライドレールをサーバーシャーシに取り付ける時、先ず磁性固定片をその磁力を利用して事前にシャーシの縦向き柱に接合させる。この時、磁性固定片の開孔と位置決め孔は前述の縦向き柱の二つの横向き貫通孔に対応し、且つ開孔の突起が対応する縦向き柱の横向き貫通孔内に嵌入する。このほか、Ｕ形挟持片の固定手段が前述の磁性固定片の開孔及びこの開孔に対応する縦向き柱の横向き貫通孔に対応し、且つＵ形挟持片の横向き位置決め柱が磁性固定片の位置決め孔に対応し挿入される。
【００１３】
以上から分かるように、サーバースライドレールがサーバーシャーシに取り付けられる前に、先に磁力により磁性固定片がシャーシの縦向き柱に接合され、これにより磁性固定片が脱落の状況を発生せず、即ちこの状況下で、スライドレール固定片の固定性が有効に高められ、これによりサーバースライドレールの組付け時の簡易性と便利性が高められ、並びにこれにより組付け時の時間が節約される。
【００１４】
このほか、上述のＵ形挟持片の固定手段は雌ネジを具えたネジ柱とされ、並びに別にネジが縦向き柱の横向き貫通孔、及び磁性固定片の開孔を通りＵ形挟持片のネジ手段のネジ柱にねじ込まれ、この時、Ｕ形挟持片のＵ形構造特徴及びその挟持力によりネジ止め時の固定力が増される。
【実施例１】
【００１５】
図２は本発明の実施状態表示図である。それにはサーバーシャーシ１が示され、且つこのサーバーシャーシ１の四つの角部にはそれぞれ縦向き柱１１、１２、１３、１４があり、そのうち二つの縦向き柱１１、１２の間にサーバースライドレール２が組付けられ、且つ別の二つの縦向き柱１３、１４の間にもう一つのサーバースライドレール６が組付けられる。前述のサーバースライドレール２、６のサーバーシャーシ１への組付け方式は同じであるため、サーバースライドレール２の一端を以てその組付け方式を説明する。
【００１６】
図３は本発明の立体分解図であり、図４は本発明の磁性固定片の立体図、図５は本発明の断面図である。そのうち、サーバーシャーシ１の各縦向き柱１１、１２には縦向きに配列された矩形の複数の横向き貫通孔１１１、１１２、１１３・・・が開設され、且つサーバースライドレール２の一端は折り曲げられて延伸片２２が形成され、この延伸片２２に三つの逃し孔２２１、２２２、２２３が開設され、該三つの逃し孔２２１、２２２、２２３はいずれも長孔状を呈する。また、該延伸片２２にＵ形挟持片２１が挟設され、このＵ形挟持片２１がサーバースライドレール２の延伸片２２に挟設される時、延伸片２２の長孔状設計の逃し孔２２１、２２２、２２３が調整のゆとりを発生し、即ちＵ形挟持片２１が延伸片２２上でその挟設位置を調整可能とされる。
【００１７】
また、上述のＵ形挟持片２１の一側の二端にそれぞれ横向き外向きに固定手段２１１、及びもう一つの固定手段２１３が組付けられ、且つＵ形挟持片２１の反対側の中央位置に横向き外向きに横向き位置決め柱２１２が延伸され、本実施例では、Ｕ形挟持片２１の固定手段２１１ともう一つの固定手段２１３として雌ネジを具えたネジ柱が使用されている。
【００１８】
このほか、本発明のスライドレール固定片３は磁性固定片４を具え、この磁性固定片４の二端に横向きに矩形状を呈する開孔４１と、もう一つの開孔４３が開設され、且つ磁性固定片４の中央位置に横向きに位置決め孔４２が開設され、この開孔４１の周囲が外向きに折り曲げられて延伸され突起４１１が形成され、もう一つの開孔４３の周囲もまた外向きに折り曲げられて延伸されもう一つの突起４３１が形成されている。前述のもう一つの突起４３１はＬ字形を呈し、且つこれにより低い低面４３２、及びそれより高い高面４３３が形成され、低面４３２は磁性固定片４より所定高度ｄ隔たっている。
【００１９】
このほか、上述の磁性固定片４に磁石５が組付けられ、この磁石５は磁性固定片４の開孔４１に近い一側に組付けられ、且つこの磁石５は固定肉厚ｔを具え、この固定肉厚ｔはもう一つの突起４３１の低面４３２と磁性固定片４の所定高度ｄ隔たっている。
【００２０】
上述の構造により、サーバースライドレール２がサーバーシャーシ１の二つの縦向き柱１１、１２に組付けられる前に、先ず磁性固定片４が磁石５の磁力によりサーバーシャーシ１のそのうち一つの縦向き柱１１に貼り付けられる。注意すべきは、磁石５はもう一つの突起４３１の低面４３２の磁性固定片４との間の所定高度ｄに等しい固定肉厚ｔを具え、これにより磁性固定片４が縦向き柱１１に貼り付けられる時、磁性固定片４が平坦な貼り付け状態を形成可能であることであり、これは図５の断面図に示されるとおりである。
【００２１】
磁性固定片４が縦向き柱１１に接合される時、磁性固定片４の開孔４１、位置決め孔４２、及びもう一つの開孔４３はそれぞれ前述の縦向き柱１１のそのうち三つの横向き貫通孔１１１、１１２、１１３に対応し、且つ開孔４１の突起４１１がこの開孔４１の対応する横向き貫通孔１１１内に嵌入し、もう一つの開孔４３のもう一つの突起４３１がこのもう一つの開孔４３に対応する横向き貫通孔１１３内に嵌入する。
【００２２】
その後、サーバースライドレール２がサーバーシャーシ１の二つの縦向き柱１１、１２に組付けられ、この時、サーバースライドレール２のＵ形挟持片２１の固定手段２１１が磁性固定片４の開孔４１及びこの開孔４１の対応する縦向き柱１１の横向き貫通孔１１１に対応し、Ｕ形挟持片２１のもう一つの固定手段２１３は磁性固定片４のもう一つの開孔４３とこのもう一つの開孔４３の対応する縦向き柱１１の横向き貫通孔１１３に対応し、且つＵ形挟持片２１の横向き位置決め柱２１２は磁性固定片４の位置決め孔４２及びこの位置決め孔４２に対応する縦向き柱１１の横向き貫通孔１１２に対応してそれに挿入されて位置決めされ、最後に二つのネジ７がそれぞれ縦向き柱１１の横向き貫通孔１１１、１１３、及び磁性固定片４の開孔４１ともう一つの開孔４３に挿通され、さらにそれぞれＵ形挟持片２１の固定手段２１１ともう一つの固定手段２１１のネジ柱内に螺合される。
【００２３】
上述の組付方式から分かるように、サーバースライドレール２がサーバーシャーシ１に組付けられる前に、磁力により磁性固定片４が先にサーバーシャーシ１の縦向き柱１１に接合され、この時、磁性固定片４は強固に縦向き柱１１に接合されて脱落の状況を発生しない。その後、使用者が簡単にサーバースライドレール２をサーバーシャーシ１に組み付けることができる。また即ち、前述の状況下で、本発明のスライドレール固定片即ち磁性固定片４はその固定性が有効に高められ、且つこれによりサーバースライドレール２の組付け時の簡易性と便利性を高め、並びにこれにより組付け時に必要な時間を節約できる。
【００２４】
このほか、上述のＵ形挟持片２１はそのＵ形構造及びその挟持力により、ネジ７で螺子止めを行なう時、Ｕ形挟持片２１が内向きに微量な変形を発生してその挟持力を増し、即ちネジ７の固定時の固定力を増すことができ、これによりサーバースライドレール２を更に強固にサーバーシャーシ１に組み付けることができる。
【００２５】
このほか、上述の磁性固定片４の開孔４１ともう一つの開孔４３はそれぞれ矩形状を呈し、これはサーバーシャーシ１の縦向き柱１１の矩形状の横向き貫通孔１１１、１１２、１１３・・・に組合せ可能で、且つ磁性固定片４の位置決め孔４２は円形状を呈する。またＵ形挟持片２１の固定手段２１１ともう一つの固定手段２１３はそれぞれネジ柱とされ、これにより、磁性固定片４とＵ形挟持片２１の組合せにより、サーバーシャーシ１の矩形状の横向き貫通孔１１１、１１２、１１３・・・を変換して円形孔として組立に便利とすることができ、且つこの変換方式は固定規格のサーバーシャーシ１の横向き貫通孔１１１、１１２、１１３・・・にも適用可能である。
【００２６】
更に、図３、４、５に示されるように、磁性固定片４が磁石５によりサーバーシャーシ１の縦向き柱１１に接合される時、スポンジ接着片８を組み合わせることが可能で、このスポンジ接着片８は両面接着機能を具え、即ちスポンジ接着片８の一面は磁性固定片４に接着され、もう一面は縦向き柱１１に接着され、これにより磁性固定片４の磁石５による縦向き柱１１への接合力を増すことができる。且つ、縦向き柱１１の材質が例えばアルミ製であって磁石５の吸着力が弱くなる時、スポンジ接着片８により接着力を補強することができる。
【００２７】
以上の実施例は本発明の範囲を限定するものではなく、本発明に基づきなしうる細部の修飾或いは改変は、いずれも本発明の請求範囲に属するものとする。
【図面の簡単な説明】
【００２８】
【図１】周知の固定片の組付け表示図である。
【図２】本発明の実施状態表示図である。
【図３】本発明の立体分解図である。
【図４】本発明の磁性固定片の立体図である。
【図５】本発明の断面図である。
【符号の説明】
【００２９】
１  サーバーシャーシ                  １１、１２、１３、１４  縦向き柱
１１１、１１２、１１３  横向き貫通孔  ２  サーバースライドレール
２１  Ｕ形挟持片                      ２１１  固定手段
２１２  横向き位置決め柱              ２１３  もう一つの固定手段
２２  延伸片                          ２２１、２２２、２２３  逃し孔
３  スライドレール固定片              ４  磁性固定片
４１  開孔                            ４１１  突起
４２  位置決め孔                      ４３  もう一つの開孔
４３１  もう一つの突起                ４３２  低面
４３３  高面                          ５  磁石
８  スポンジ接着片                    ９１  固定片
９２  縦向き柱                        ９２１  横向き貫通孔
９３  サーバースライドレール          ９３１  円形孔
【図１】
2006013409.tif 000003
【図２】
2006013409.tif 000004
【図３】
2006013409.tif 000005
【図４】
2006013409.tif 000006
【図５】
2006013409.tif 000007